Podtech/llm-jp-corpus-v4-ja_patent huggingface dataset:
(57)【要約】【課題】老眼鏡を使いながらも、容易に、正確にアイメーキャップをできるようにする化粧用レンズ挟みを提供する。【解決手段】化粧用レンズ挟みは、カチューシャ１にプラスチックアーム２が取り付けられている。そのプラスチックアーム２に、老眼鏡を逆さに吊るし、レンズを片目にだけ当てることで、もう片目を正確にメーキャップすることができる。【選択図】図１
0003120669.tif 000002
【実用新案登録請求の範囲】
【請求項１】
カチューシャ１に、先端がバネ性を有するハサミに成形加工された、また、連結部２３は全方位、広角度に回転可能な関節機能を有しているプラスチックアーム２が取り付けられ、ハサミ部分２２にゴム３が取り付けられている化粧用レンズ挟み。
【考案の詳細な説明】
【技術分野】
【０００１】  本考案は、老眼により、裸眼では近くを見ることが困難な者が、老眼鏡を用いながら、アイメーキャップをするための、化粧用眼鏡に関する。
【背景技術】
【０００２】  一般的に、眼鏡フレームは、耳に掛けられ、鼻に乗せられることで、レンズが眼前に安定するよう形作られている。
【考案の開示】
【考案が解決しようとする課題】
【０００３】  裸眼で鏡に向かい、顔を近づけると自身の顔が不明確になって見えてくる者は、アイメーキャップをしようとした時、勘に頼って筆を入れるしかなかった。老眼鏡を掛けてアイメーキャップをしようとすると、眼鏡が邪魔をして筆が入らない。本考案は、老眼鏡を使いながらも、容易に、正確にアイメーキャップをできるようにすることを目的としている。
【課題を解決するための手段】
【０００４】  カチューシャ１の前面、中心には、市販の、先端がバネ性を有するハサミに成型加工された、また、その連結部２３は全方位、広角度に回転可能な関節機能を有しているプラスチックアーム２が取り付けられている。ハサミ部分２２には、レンズが傷つかないように、また、ずれないようにゴム３が取り付けられている。【０００５】  上記の化粧用レンズ挟みに、手持ちの老眼鏡を逆さにして吊るし、片目にだけレンズを当てることで課題の解決が図られる。
【考案の効果】
【０００６】  本考案は、手持ちの老眼鏡を用いて、レンズを逆さにして横にずらすという使用形態に変えることで、鏡に映った自身の顔を明確に見ながら、正確にアイメーキャップができることを可能にしたものである。【０００７】  従って、この化粧用レンズ挟みさえあれば、化粧専用の特殊な形の眼鏡を製作する必要はない。老眼鏡の新しい活用法を創造するものでもある。【０００８】  使用している眼鏡の転用であるから、乱視、不同視の者にも有効に適用することができる。【０００９】  カチューシャ１の回転と、プラスチックアーム２の二つの連結部２３による関節機能の利用により、キメ細かな調整が可能である。レンズを適当な眼前距離、角度で、光学中心を瞳の位置に合わせることで、目に負担をかけない状態で使用できる。【００１０】  本考案は、耳掛け、鼻当てを頼りにしないので、片側の目の周りが広範囲に自由な空間となる。【００１１】  因みに、眼鏡に組み込む単焦点レンズには、元々、上下の区別はない。レンズを逆さにしても、見え方、作用は同じである。
【考案を実施するための最良の形態】
【００１２】  図１は本考案のカチューシャ１に取り付けられているプラスチックアーム２の斜視図である。図２は眼鏡を挟んだ状態の側面図である。【００１３】  図１、図２において、関節機能を有する連結部２３が二つあることで、レンズを理想の眼前距離、角度に調整してかざすことができる。図２において、ハサミ部分２２に取り付けられたゴム３により、レンズは傷つかない。また、ずれない。
【第一実施例】
【００１４】  図３は眼鏡の右レンズ５ａの端部を挟み、カチューシャ１を頭に掛けた使用状態を示す斜視図である。この時、眼鏡はレンズ５の内面が目側に向けられたまま上下が逆さまになっている。右テンプル４５ａはたたまれている。左テンプル４５ｂは視界を良くするために立てていた方が良い。カチューシャ１が若干右側に回されているので右レンズ５ａが右目にかざされている。右レンズ５ａは連結部２３によって適当な眼前距離、角度になるよう調整されている。左レンズ５ｂは顔より外れて位置している。よって、左目の周りは何物にも覆われていない。この状態で、右目でレンズを通して鏡に映った自身の顔を明確にみながら、容易に、正確に左目のメーキャップを施すことができる。左レンズ５ｂに挟み替えることで、同様に右目のメーキャップができる。
【第二実施例】
【００１５】  使用していた眼鏡を化粧専用にするならば、テンプル４５と、可能であれば智４４、パッドアーム４２を取り外すと扱い易くなるのでお勧めしたい使用法である。
【第三実施例】
【００１６】  左右の眼球の屈折状態が同じである者は、一枚のレンズで用が足りるので、可能であればフレーム４からリム部分４３を取り外す、あるいは、レンズ５自体を取り出し使用すれば簡素な構成になり扱い易くなる。
【第四実施例】
【００１７】  化粧専用としてレンズを新たに製作し、フレームに組み込むのであれば、右リムに左眼用レンズを入れ、左リムに右眼用レンズを入れれば、フレームを逆さにする必要はなくなる。その際、瞳間距離は問題にならないので、レンズの光学中心をリムの中心に合わせて加工するのが望ましい。
【第五実施例】
【００１８】  市販のルーペで見え方が間に合う者は、ルーペを挟むのも良い使用法である。
【図面の簡単な説明】
【００１９】
【図１】本考案の斜視図である。
【図２】眼鏡を挟んだ状態を示した側面図である。
【図３】本考案の第一実施形態を示した斜視図である。
【符号の説明】
【００２０】１  カチューシャ
２  プラスチックアーム
２１  つなぎ  ２２  ハサミ  ２３  連結部
３  ゴム
４  フレーム
４１  ブリッジ  ４２  パッドアーム  ４３ａ  右リム  ４３ｂ  左リム
４４  智  ４５ａ  右テンプル  ４５ｂ  左テンプル
５  レンズ
５ａ  右レンズ  ５ｂ  左レンズ
【図１】
0003120669.tif 000003
【図２】
0003120669.tif 000004
【図３】
0003120669.tif 000005
(57)【要約】【課題】  本考案は、穴なし袋を使用しても、生ごみと一緒に混入した水分だけを抜き取ることが出来るので、袋の口元を閉じれば捨てる時、又は捨てた後に水分が出てくる問題を防げる生ごみ容器である。【解決手段】  本考案は下容器２に設置された穴なし袋１０に、その中に押さえ板４が入るようにして上容器１をかぶせて接合部３にて合体させる。二枚の水切り板８を留め具６にて閉じて下容器２が上に来るように反転させて置いて袋内の水抜きを行う。この時、水切り部７には水抜き用の隙間ができる。また、押さえ板４に設けた溝５の部分からは袋内に空気が入り、水抜きが円滑に行われる。水抜き後は容器を反転させて元に戻し、下容器から上容器を分離させて取り去り、袋の口元を閉じて捨てる。【選択図】図１
0003120665.tif 000002
【実用新案登録請求の範囲】
【請求項１】
水きり板がある下容器と、通気用の溝を設けた押さえ板がある上容器とを接合部にて合体させて、留め具で水切り板を閉じて反転させて置くことの出来る生ごみ水切り容器。
【考案の詳細な説明】
【技術分野】
【０００１】  本考案は、穴なしの袋を使用して袋の中の水抜きを出来るようにした容器である。
【背景技術】
【０００２】  調理中に出る生ごみは、水切り専用の袋に入れて水切りをして捨てていた。
【考案の開示】
【考案が解決しようとする課題】
【０００３】  水切り専用の袋は、水切りは出来るが袋の口を閉じて捨てるとき、又は、移動先において水切り部分からの残存水分の流出がある。穴なしの袋を使用して水抜きをして袋の口を閉じた時は、前述の問題を発生することが無い。
【課題を解決するための手段】
【０００４】  下容器と上容器は接合部で合体、分離が出来るようになっている。袋は下容器に設置する。その袋の中に入る上容器の押さえ板は袋の底を下容器の底面へ押さえつける。下容器の二枚の水切り板は留め具で閉じることができ、閉じたときは水切り部のわずかな隙間のほかは、上容器の押さえ板とあいまって下容器の袋を封印するが、押さえ板に設けた溝によって袋の中への空気の通路を確保している。合体した容器は上下どちらの向きにも置くことが出来るようになっている。
【考案の効果】
【０００５】  投入口の水切り板を閉じて下容器を上にして置いた水抜き状態では、投入口よりの虫の侵入を防ぎ、なおかつ臭いの拡散も防げるので長時間の水抜きが可能であり、また、水抜き中は元に戻せばいつでも生ごみの再投入が出来る。水切り後の袋は口元を閉じることで、捨てる時や移動後の残存水分の流出が無くなる。また、使用する穴なし袋は入手容易の上、別用途での使用済みの袋も利用可能である。
【考案の実施するための最良の形態】
【０００６】  下容器に穴なし袋を入れ、袋の上部の余った部分を水きり板、側板で折り返す。この袋の中に押さえ板が入るようにして上容器をかぶせ接合部にて合体させる。この状態で生ごみ投入後は二枚の水切り板を留め具にて閉じる。その後、下容器が上に来るように反転させて置くと、押さえ板に設けた溝より適度な空気が袋内に入り、水切り部より水が排出される。排出後は容器を反転させて元に戻し上容器を外して、袋の口元を閉じる。
【実施例】
【０００７】  以下、添付図面に従って実施例を説明する。下容器２に袋１０を入れて、袋の上部余白部分を水切り板８，側板９で折り返す。袋の中に押さえ板４が入るようにして上容器１をかぶせて接合部３にて合体させる。二枚の水切り板８を留め具６にて閉じて、下容器２が上に来るように反転させて置く。この時、二枚の水切り板８が合わさった水切り部７には水抜き用の隙間が出来る。また、押さえ板４にある溝５からは袋内に空気が入るようになっている。
【図面の簡単な説明】
【０００８】
【図１】容器の正面図
【図２】側面図
【図３】袋を設置した状態の断面図
【図４】水切り板を閉じた水切り状態の側面図
【符号の説明】
【０００９】  １  上容器
２  下容器
３  接合部
４  押さえ板
５  溝
６  留め具
７  水切り部
８  水切り板
９  側板
１０  穴なし袋
【図１】
0003120665.tif 000003
【図２】
0003120665.tif 000004
【図３】
0003120665.tif 000005
【図４】
0003120665.tif 000006
(57)【要約】      （修正有）【課題】印稿からの転写が簡単にできるようにした篆刻用印材を提供する。【解決手段】油性や樹脂を含んだ透過性の紙に鉛筆で書かれた印稿を転写できるような印泥のような粘着性を持った素材を印面に薄く塗布する。また、印材本体の印面に塗布した印泥を拭き取った印面に、トレーシングペーパーに鉛筆書きした印稿を転写することを特徴とする。【選択図】図１
0003120664.tif 000002
【実用新案登録請求の範囲】
【請求項１】
油性や樹脂を含んだ透過性の紙に鉛筆で書かれた印稿が転写できる程度の粘着性を持った素材を印面に薄く塗布した篆刻用印材
【請求項２】
粘着性素材が印泥である請求項１記載の篆刻用印材
【請求項３】
透過性紙がトレーシングペーパーである請求項１又は２記載の篆刻用印材
【請求項４】
印材本体の印面に塗布した印泥を拭き取り、透過性紙に鉛筆書きした印稿を印面に転写できるようにした篆刻用印材
【考案の詳細な説明】
【技術分野】
【０００１】  本考案は、印稿からの転写が簡単にできるようにした篆刻用印材に関するものである。
【背景技術】
【０００２】  篆刻をする場合、印材に文字等を書き入れる字入れ作業が必要である。しかし、字入れは逆字で行わなければならないため、墨でトレーシングペーパーなどの透明紙に所望の文字等の印稿を書いた後、トレーシングペーパーの文字を裏返して印稿を逆字に直して印材の印面に書き写す必要があった。【０００３】  そして、未熟練者の場合には、より簡単に字入れができるようにトレーシングペーパーの文字を直接印面に転写してその転写文字を篆刻することが行われている。【０００４】  しかし、印材の素材は石材であるのでトレーシングペーパーに書かれた文字を写しとり難いものであった。そこで、通常は文字等を書いた後、それをコピーし、そのコピーした用紙のコピー面を印面に置き、裏面より油性のペンで薄く塗った後、こすり付けることによって、油性ペンに含まれているシンナーによりコピーのトナーが溶け文字を転写させていた。【０００５】  このように煩わしい手間が必要となるため完成前に挫折してしまう者も少なからずあった。【０００６】  このようなことから、篆刻用布地印字台や篆刻用転写液が開発されている。【０００７】  しかし、前者の場合、結局は鏡体に写し取った文字等を見ながら印面に布字することとなり未熟練者には容易なことではない。【０００８】  また、後者の場合は、クリヤーフィルムに着色液で文字を写し取り、次に印面に着色液を塗布し、その着色液が乾いてからクリヤーフィルムの文字を印面に押し当て文字を印面に付着させる必要があり、非常に手間がかかるものである。【０００９】
【特許文献１】実用新案登録第２５７９１７０号公報
【特許文献２】特開平９−１５７５６８号公報
【考案の開示】
【考案が解決しようとする課題】
【００１０】  本考案は、上述した従来技術の欠点を除くためになされたものである。即ち、篆刻の前段階の作業についての利用者の手間をできるだけ省くことをその目的とするものである。【００１１】  このようにすることによって、初心者にも篆刻を遊び感覚で楽しむことができ、篆刻の普及をも図ることが期待できるものである。
【課題を解決するための手段】
【００１２】  このような問題点を解決するために、本考案は、油性や樹脂を含んだ透過性の紙に鉛筆で書かれた印稿を転写できるような印泥のような粘着性を持った素材を印面に薄く塗布することを特徴とするものである。【００１３】  また、印材本体の印面に塗布した印泥を拭き取った印面に、トレーシングペーパーに鉛筆書きした印稿を転写するようにしてなることを特徴とするものである。
【考案の効果】
【００１４】  本考案は、このような構成であるので、図２のようにトレーシングペーパーに鉛筆書きした印稿を裏返しにして印稿部分を印材の印面にこすり付けることによって容易に印稿を印面に転写することができる。【００１５】  また、印稿作成前に、印面に薄く印泥を塗ったのち、トレーシングペーパーに鉛筆書きした印稿を裏返しにして印稿部分を印材の印面にこすり付けることにより容易に印稿を印面に転写することができる。【００１６】  このように本願考案では、印稿を鉛筆書きにより行うため、印稿を書き直す場合、消しゴムで消して書き直せばよいので、初心者でも印稿作業を楽しんですることができる。【００１７】  本考案は、このように鉛筆書きした印稿を利用できるので篆刻作業の前段階の作業が簡単にできることとなる。
【考案を実施するための最良の形態】
【００１８】
【実施例】
【００１９】  実施例について図面を参照して説明すると、図１において、印材１の印面２に鉛筆で書かれた印稿５が転写できる粘着性を持った素材、例えば印泥３を塗布する。【００２０】  なお、塗布された印泥３が多すぎると、印稿に使用した紙４が印泥により覆われてしまい転写が難しくなるので、ティッシュペーパーなどで拭き取ることによって解消できる。従って、粘着性素材の塗布は、微量で十分に転写可能である。【００２１】  粘着性素材の粘着力は強すぎるとトレーシングペーパーを剥がし難くなるので転写可能な印泥程度の粘着力があればよい。【００２２】  また、印稿に使用する紙は、トレーシングペーパーのように油性や樹脂を含んだ透過性の紙が望ましい。鉛筆書きした場合でも、鉛筆書きした部分が印面に転写しやすいからである。
【図面の簡単な説明】
【００２３】
【図１】  本考案の正面図である。
【図２】  本考案の使用状態を示す印材の斜視図である。
【図３】  本考案で使用する印稿の平面図である。
【符号の説明】
【００２４】    １    印材
２    印面
３    印泥
４    透過性紙
５    印稿
【図１】
0003120664.tif 000003
【図２】
0003120664.tif 000004
【図３】
0003120664.tif 000005
(57)【要約】【課題】  従来の、のぼり旗装置は、旗部材が単に１枚の平坦な布地等によって形成されている。単調であり、必ずしも充分な宣伝効果等を得られていない。【解決手段】  のぼり装置、旗部材を自由に分割し、分割された旗部材が着脱可能とし、そして旗部材同士がファスナー、紐等で連結できる装置【選択図】図１
0003120666.tif 000002
【実用新案登録請求の範囲】
【請求項１】
旗部材を２分割、３分割等、多形状に分割し、分割された旗部材が着脱可能にできる、のぼり旗装置
【請求項２】
請求項１の、のぼり旗装置において、分割したのぼり旗部材同士を、ファスナー、紐等で連結される装置
【考案の詳細な説明】
【技術分野】  支柱は従来のものを使用し、のぼり旗部材を２分割、３分割など多形状に分割使用できる分割式のぼり旗である。
【背景技術】  従来の、のぼり旗装置は、支柱と横杆を連結し、１枚物の広告宣伝等が表示された旗部材を取り付けたものである。
【考案の開示】
【考案が解決しようとする課題】  従来の、のぼり旗装置は、旗部材が単に１枚の平坦な布地等によって形成されている。単調であり、必ずしも充分な宣伝効果等を得られていない。
【課題を解決するための手段】  上記課題を達成するために、旗部材を自由に分割し、分割された旗部材が着脱可能とし、そして旗部材同士がファスナー、紐等で連結できる装置
【考案の効果】  広告宣伝語句等を、日替わり、週替わり、月替わり等で、取り替えすることにより広告宣伝内容が多様化され、使用価値が向上し、有効な広告宣伝の拡大を図ることができる。
【図面の簡単な説明】
【図１】２分割し、ファスナー等で連結した正面図
【図２】３分割し、紐等で連結した正面図
【図３】支柱から着脱した場合の図
【図１】
0003120666.tif 000003
【図２】
0003120666.tif 000004
【図３】
0003120666.tif 000005
(57)【要約】      （修正有）【課題】折りたたみテーブルの高さ不足による不満を解決するために、上下に簡単に伸縮するテーブル用折りたたみ脚を提供する。【解決手段】金属製により中空状の脚体１を成形し、その脚体１の一端に従来技術の折りたたみ金具６を設け、他端より脚体１の中空部に上下に可動する金属製の支柱２を設ける。前記支柱２の側面にはコの字状溝５を前後対角線上に左右非対称に形成する。脚体１の下方にコの字状溝５と近接する透孔を前後対角線上に開ける。前期透孔と同径のロック軸３を透孔と支柱２のコの字状溝５に通し、ロック軸３の両端をリベット状に潰すことで脚体１と支柱２は結合状態になる。【選択図】図１
0003120670.tif 000002
【実用新案登録請求の範囲】
【請求項１】
中空状の脚体に上下に稼動する支柱を設け、支柱の側面前後にコの字状窪溝を左右非対称に形成し、脚体の下方に溝に近接する透孔を前後対角線上に開け、透孔と同径のロック軸を脚体の透孔と支柱の溝に通し、ロック軸の両端部を固定して結合状態になるようにすることを特徴とするテーブル用伸縮機構付折りたたみ脚。
【請求項２】
請求項１記載の脚体において、支柱を横方向に回転させロック軸をスライドさせることによって、脚体の伸縮を行えるように形成したことを特徴とするテーブル用伸縮機構付折りたたみ脚。
【考案の詳細な説明】
【技術分野】
【０００１】  この発明は、テーブル等に用いるパイプ状スチール製折りたたみ脚に関し、簡単に脚の伸縮を行えるようにしたテーブル用伸縮機構付折りたたみ脚に係る。
【背景技術】
【０００２】  従来のテーブル等に用いるパイプ状スチール製折りたたみ脚に伸縮機能は存在せず、高さが固定されていた。そのためテーブルと併用して座椅子や座布団などを使用する場合、テーブルの高さが足りず、テーブル使用者の脚の入る隙間が狭くなると同時に、テーブルを使用する上での高さ不足が生じていた。
【考案の開示】
【考案が解決しようとする課題】
【０００３】  この考案は、このような折りたたみテーブルの高さ不足による不満を解決するために、上下に簡単に伸縮するテーブル用折りたたみ脚を提供することを課題とする。
【課題を解決するための手段】
【０００４】  本考案は以上のような点を鑑み考案されたものであり、従来のテーブル用折りたたみ脚に上下に稼動する中空状の支柱を設け、その支柱の側面前後にコの字状溝を左右非対称に形成し、脚体の下方に窪溝に近接する透孔を前後対角線上に開け、透孔と同径のロック軸を脚体の透孔と支柱の窪溝に通し、ロック軸の両端部を固定して結合状態になるように形成されている。
【考案実施の形態】
【０００５】  この考案に適用されるテーブル用伸縮機構付折りたたみ脚を説明すれば次のとおりである。
図１に示すとおり、この考案は金属製により中空状の脚体１を成形し、その脚体１の一端に従来技術の折りたたみ金具６を設け、他端より脚体１の中空部に上下に可動する金属製の支柱２を設ける。前記支柱２の側面にはコの字状溝５を前後対角線上に左右非対称に形成する。脚体１の下方にコの字状溝５と近接する透孔を前後対角線上に開ける。前期透孔と同径のロック軸３を透孔と支柱２のコの字状溝５に通し、ロック軸３の両端をリベット状に潰すことで脚体１と支柱２は結合状態になる。
【０００６】  図３の断面図は図１を横方向からとらえたものである。ロック軸３が脚体１と支柱２を完全に通してあることによって、結合状態を維持するように形成されている。また図４は図３の状態から支柱２を伸ばしたことを示している。
【０００７】  また支柱下部、床接地面においてはプラスティック製のキャップ４を設けており、支柱２を伸縮させるときにそのキャップを回転させることによって、ロック軸３により固定されていた支柱をロック状態から開放し伸縮することができる。
【考案の実施例】
【０００８】  この考案の実施例を図１から図４により説明すれば次のとおりである。
図１はテーブルの高さを低い状態で使用するときの脚体１と内部の支柱２の実施形態を示したものであり、図２はテーブルの高さが高い状態で使用するときの脚体１と内部の支柱２の実施形態を示したものである。
図１に示すとおり、脚体１と支柱２はロック軸３を脚体１に設けられた透孔と、支柱２の側面前後に左右非対称の状態で設けられたコの字状溝５を通してロック軸３の両端をリベット状に形成することで結合状態を維持している。支柱２が伸びていない状態のときは図３に示すとおり、支柱２は脚体１の内部に完全に入った状態になるため、外部からは目視できない状態になる。支柱２に設けられたコの字状溝５によってロック軸３を支点にし、支柱２の下部に設けられたキャップ４を横方向に回転させ支柱２とロック軸３のロック状態を解除する。そして支柱２を下方向に下げ脚全体が伸びた状態にし、再度キャップ４を横方向に回転させることでロック軸３を支点に、図２の支柱２が伸びた状態を維持することができる。またその場合、図４に示したとおり支柱２が脚体１の下方に伸びて目視できる状態になる。
【考案の効果】
【０００９】  この考案は従来のテーブル用折りたたみ脚に、伸縮機能を設けることによってテーブルの高さを簡単に高くすることを可能にし、テーブルと併用して座布団や座椅子を使用するときに生じる、テーブルに脚の入る隙間が狭くなるような高さ不足による障害を緩和する、きわめて便利なものである。
【図面の簡単な説明】
【００１０】
【図１】本考案の脚を伸ばしていない状態の内部構造と全体を示す斜視図である。
【図２】本考案の脚を伸ばした状態の内部構造と全体を示す斜視図である。
【図３】本考案の脚を伸ばしていない状態の全体を示す斜視図である。
【図４】本考案の脚を伸ばした状態の全体を示す斜視図である。
【符号の説明】
【００１１】  １  脚体
２  支柱
３  ロック軸
４  キャップ
５  コの字状溝
６  折りたたみ金具
【図１】
0003120670.tif 000003
【図２】
0003120670.tif 000004
【図３】
0003120670.tif 000005
【図４】
0003120670.tif 000006
(57)【要約】      （修正有）【課題】ハンドルの裏側にある鍵穴は見え辛い位置にあり鍵を差込む際に迷いがちである。その不便さを鏡を取り付ける事により車の鍵穴に鍵を迷わずに差込める様にした物である。【解決手段】車のドア部分等又は車体の一部に鏡を取りつけ鍵穴を鏡で見る事により、迷わず容易に鍵を差込める。【選択図】図１
0003120637.tif 000002
【実用新案登録請求の範囲】
【請求項１】
車の車体の一部（１）に鏡を取りつけて、ハンドル（２）裏側の鍵穴を鏡で見て確認する事により、迷わず容易に鍵を差込める考案
【考案の詳細な説明】
【考案の詳細な説明】
車体の一部（１）に鏡を取りつけ、鏡にハンドル（２）裏側の鍵穴を写し、車の鍵穴を確認し、迷わずに鍵を差込める様に考案した物である
【図面の簡単な説明】
【図１】本考案の斜視図
【図１】
0003120637.tif 000003
【手続補正書】
【提出日】平成17年9月12日(2005.9.12)
【手続補正１】
【補正対象書類名】実用新案登録請求の範囲
【補正対象項目名】全文
【補正方法】変更
【補正の内容】
【実用新案登録請求の範囲】
【請求項１】
車内の運転者の正面メ−タ−まわりの車体の一部（１）に、鍵穴が写る様に反射鏡（２）を取付け、ハンドル裏横の見にくい鍵穴（３）を正面の反射鏡（２）に写った鍵穴で確認し、迷わず容易に鍵を差込めるようにした考案
【手続補正２】
【補正対象書類名】図面
【補正対象項目名】図１
【補正方法】変更
【補正の内容】
【図１】
0003120637.tif 000004
【手続補正書】
【提出日】平成17年12月16日(2005.12.16)
【手続補正１】
【補正対象書類名】実用新案登録請求の範囲
【補正対象項目名】全文
【補正方法】変更
【補正の内容】
【実用新案登録請求の範囲】
【請求項１】
車内の運転者の正面メーターまわりの車体の一部（１）に、鍵穴が写る様に反射鏡（２）を取付け、ハンドル裏横の見にくい鍵穴（３）を正面の反射鏡（２）に写った鍵穴で確認し、迷わず容易に鍵を差込めるようにした反射鏡を取り付けた車体の考案
(57)【要約】【目的】２種類の温度の水が出せるシャワーにより皮膚・筋肉に刺激を与え、血行循環の促進、マッサージ効果を提供する。【構成】シャワーの噴射穴を２種類の温度が出せるように１穴づつ交互に並べた噴射穴に２種類の水路を連結させ、その水路に温水と低温水を流す。交互に並んだシャワーの多数の噴射穴より２種類の温度差の水を噴射する事を特徴とする。【選択図】図３
0003120632.tif 000002
【実用新案登録請求の範囲】
【請求項１】
同時に２種類の温度の水が出せる１に、２種類の温度水を流せる温度コントロール部３と専用ホース２で構成したシャワー器具。
【考案の詳細な説明】
【考案の開示】
【考案が解決しようとしている課題】
【００１】従来販売されているシャワーは体を清掃する為、又は強い水圧でマッサージ効果を出すものが殆んどである。冷え性などの血行促進、皮膚のマッサージ効果を上げようとすると熱いシャワーの苦手な人も温度を上げなければならない、長い時間高い温度に耐えなければならないという問題点を有していた。
【課題を解決しようとする為の手段】
【００２】上記課題を改善する為にシャワー２種類の温度水を噴射できる穴を交互の配置し２種類の温度を同時に水を噴射できるようにする。これにより焼けどをしない温度内の高い温水を浴びながら同時に低い温度水で冷やすようにする。これにより皮膚に対して高温水、低温水の刺激による血行促進、マッサージ効果を上げると共に一般の高温水のシャワーより長い時間苦痛なくシャワー水を浴びる事ができる。
【考案の効果】
【００３】冷え性など血行の悪い人、ケガの温水マッサージ、頭皮などの細胞活動の活性化など体の機能改善に貢献できる。
【図面の簡単な説明】
【００４】
【図１】    シャワー噴射穴部正面図
【図２】    シャワー噴射穴部横断面図
【図３】    シャワー水路構造概略図
【図４】    噴射時の状態、対皮膚に受ける状態
【符号の説明】
１．          シャワーヘッド部
２．          温水ホース
３．          温度調節部
４．          人体皮膚
５．          高温水噴射穴
６．          低温水噴射穴
【図１】
0003120632.tif 000003
【図２】
0003120632.tif 000004
【図３】
0003120632.tif 000005
【図４】
0003120632.tif 000006
【手続補正書】
【提出日】平成17年3月18日(2005.3.18)
【手続補正１】
【補正対象書類名】実用新案登録請求の範囲
【補正対象項目名】全文
【補正方法】変更
【補正の内容】
【実用新案登録請求の範囲】
【請求項１】
同時に２種類の温度の水が出せる１に、２種類の温度水を噴射できる５、６，サーモスタット水柱温度調節器部３とホース２で構成したシャワー器具。
0003120632.tif 000007
0003120632.tif 000008
0003120632.tif 000009
0003120632.tif 000010
【手続補正書】
【提出日】平成17年7月21日(2005.7.21)
【手続補正１】
【補正対象書類名】実用新案登録請求の範囲
【補正の内容】
0003120632.tif 000011
0003120632.tif 000012
0003120632.tif 000013
0003120632.tif 000014
0003120632.tif 000015
0003120632.tif 000016
【手続補正書】
【提出日】平成17年11月23日(2005.11.23)
【手続補正１】
【補正対象書類名】実用新案登録請求の範囲
【補正対象項目名】全文
【補正方法】変更
【補正の内容】
【実用新案登録請求の範囲】
【請求項１】
同時に２種類の温度の水が噴射できるシャワーヘッド部１の噴射穴５，６に、２水路専用ホース２が接続され、サーモスタット式水温調節部３が備えられたシャワー器具。
【手続補正２】
【補正対象書類名】明細書
【補正対象項目名】全文
【補正方法】変更
【補正の内容】
【考案の詳細な説明】
【考案の開示】
【考案が解決しようとしている課題】
【０００１】従来販売されているシャワーは体を清掃する為、又は強い水圧でマッサージ効果を出すものが殆んどである。冷え性などの血行促進、皮膚のマッサージ効果を上げようとすると熱いシャワーの苦手な人も温度を上げなければならない、長い時間高い温度に耐えなければならないという問題点を有していた。
【課題を解決しようとする為の手段】
【０００２】上記課題を改善する為にシャワーヘッドに２種類の温度水を噴射できる穴を交互の配置し２種類の温度差水を噴射できるようにする。これにより皮膚焼けどをしない温度内の高い温水を浴びながら同時に低い温度水で冷やすようにする。これにより皮膚に対して高温水、低温水の２種類の刺激による血行促進、マッサージ効果を上げると共に一般の高温水のシャワーより長い時間苦痛なくシャワー水を浴びる事ができる。
【考案の効果】
【０００３】冷え性など血行の悪い人、ケガの温水マッサージ、頭皮などの細胞活動の活性化など体の機能改善に貢献できる。
【図面の簡単な説明】
【０００４】
【図１】    シャワー噴射穴部正面図
【図２】    シャワー噴射穴部横断面図
【図３】    シャワー水路構造概略図
【図４】    噴射時の状態、対皮膚に受ける状態
【符号の説明】
【０００５】１．          シャワーヘッド部
２．          ２水路ホース
３．          温度調節部
４．          人体皮膚
５．          高温水噴射穴
６．          低温水噴射穴
【手続補正３】
【補正対象書類名】図面
【補正対象項目名】全図
【補正方法】変更
【補正の内容】
【図１】
0003120632.tif 000017
【図２】
0003120632.tif 000018
【図３】
0003120632.tif 000019
【図４】
0003120632.tif 000020
(57)【要約】      （修正有）【課題】消火器を暗闇でも見つけやすく、なおかつ悪徳業者の被害を激減させる。【解決手段】蓄光型シールを消火器に貼り付ける事で光を放ち、災害や停電時の暗闇の中でも容易に消火器の所在が判別できる。また勝手にシールを剥がすと跡が残り、類似したシールを上から重ねても一度剥がした事が簡単に判別出来るので、指定外業者に勝手に消火器の詰替、交換を行えなくする。【選択図】図２
0003120633.tif 000002
【実用新案登録請求の範囲】
【請求項１】
蓄光型塗料を使ったシールを消火器に貼る事で、災害時に停電が起きた状態や、常に暗い場所で火災が起きた場合でも消火器の所在がすぐわかる。
【請求項２】
消火剤の詰替口にシールを貼ることで、勝手に剥がしたかどうかわかりやすくなる。シールを剥がすと「開封」の文字とともに剥がした形跡が残り、このシールを使用しない限り蓄光機能を失い、本消火器の効用が損なわれる為、器物損壊となる
【考案の詳細な説明】
【技術分野】
【０００１】本発明は暗闇で消火器を見失う事なく、また悪徳業者の被害を減少させる
【考案の開示】
【考案が解決しようとする課題】
【０００２】  停電時や、夜間等に火災が起きた場合、肝心の消火器の所在がわからず、危険な状況になる事が多く、安全面に問題点を有していた。
またここ数年、消火器の点検・詰替・取替に関する悪徳業者が増加している。この状況に至る原因は消火器の点検・詰替・取替が容易に出来る事と、消火器自体の管理者が明確にされていなかった事に問題点があった
【課題を解決するための手段】
【０００３】  上記目的を解決するために、蓄光塗料を使用したシールを消火器に貼り付ける。このシールは詰替時に剥がさないといけない場所に貼り、一度剥がすと「開封」と跡が残るようにしてある。
【考案の効果】
【０００４】  急な停電の際に蓄光塗料が光り、どこに消火器があるのかわかる。またシールを剥がすと「開封」となるので、我社もしくは正規取扱店以外での詰替が出来ないので悪徳業者が勝手に詰替や点検を行う事が出来なくなる。シールにはシリアルナンバーも明記する為、偽物の流出も防ぐ事が出来る
【発明を実施するための最良な形態】
【０００５】  正規取扱店以外での詰替を認めないため、悪徳業者が勝手に詰替を行えない状況にする
【実施例】
【０００６】  勝手に剥がして詰替を行うと「開封」と跡が残るシールと、設置場所に対応したシリアルナンバーを登録しておくことで、悪徳業者が勝手に詰替や交換が出来ないようになる。
【図面の簡単な説明】
【図１】蓄光塗料で光る部分の図である
【図２】シールを剥がした時の図である  １    蓄光塗料の塗られている部分  ２    シールを剥がした跡の文字  ３    剥がしたシールの方に残る跡
【図１】
0003120633.tif 000003
【図２】
0003120633.tif 000004
【手続補正書】
【提出日】平成17年3月7日(2005.3.7)
【手続補正１】
【補正対象書類名】実用新案登録請求の範囲
【補正対象項目名】全文
【補正方法】変更
【補正の内容】
【実用新案登録請求の範囲】
【請求項１】
蓄光型塗料を使ったシールを消火器に貼る事で、災害時に停電が起きた状態や、常に暗い場所で火災が起きた場合でも消火器の所在がすぐわかる消火器用シール。
【請求項２】
消火剤の詰替口にシールを貼ることで、勝手に剥がしたかどうかわかりやすくなる。シールを剥がすと「開封済」の文字とともに剥がした形跡が残り、このシールを使用しない限り蓄光機能を失い、本消火器の効用が損なわれる為、器物損壊となる消火器用シール。
【手続補正書】
【提出日】平成17年9月30日(2005.9.30)
【手続補正１】
【補正対象書類名】実用新案登録請求の範囲
【補正対象項目名】全文
【補正方法】変更
【補正の内容】
【実用新案登録請求の範囲】
【請求項１】
蓄光型塗料でハートマークを表示し、災害時に停電が起きた時や、常に暗い場所や、夜間に火災が起きた場合でも消火器の所在がすぐわかるという機能を有する消火器用シール。
【請求項２】
シールを剥がすと「開封済」の文字とともに剥がした形跡が残り、無断で剥がしたかどうかがわかり、貼り直す時に同じシールを使わないと、請求項１に記載されている機能を失い、本消火器の効用が損なわれ、器物損壊となる消火器用シール。
【手続補正書】
【提出日】平成17年12月13日(2005.12.13)
【手続補正２】
【補正対象書類名】実用新案登録請求の範囲
【補正対象項目名】全文
【補正方法】変更
【補正の内容】
【実用新案登録請求の範囲】
【請求項１】
蓄光型塗料でハートマークを表示し、災害時に停電が起きた時や、常に暗い場所や、夜間に火災が起きた場合でも消火器の所在がすぐわかるという機能を有する消火器用シール。
【請求項２】
シールを剥がすと「開封済」の文字とともに剥がした形跡が残り、無断で剥がしたかどうかがわかり、貼り直す時に同じシールを使わないと、請求項１に記載されている機能を失い、本消火器の効用が損なわれ、器物損壊となることを特徴とする請求項１に記載の消火器用シール。
(57)【要約】      （修正有）【課題】装着が容易で、清潔に使用できる使い捨てタイプの包茎矯正テープを提供する。【解決手段】自着式伸縮テープを素材とした包茎矯正具である。装着、取り外しが極めて容易であり、その矯正も使用者の好みに合わせて自在に調節が出来、使用中の違和感が極めて少なく、使い捨てタイプで常に清潔に使用できることを特徴とする。【選択図】図１
0003120640.tif 000002
【実用新案登録請求の範囲】
【請求項１】
包茎矯正を目的として適宜な大きさ、形に整えられた（図面参照）自着式伸縮テープを  素材とした包茎矯正テープ。
請求項１の自着式伸縮テープの説明
自着式伸縮テープとは、肌につく粘着面がなく、皮膚や毛にはつかずテープ同士のみが  しっかりくっつくテープである。伸縮性、通気性にすぐれていて、粘着財が肌につかな  いので、べたつかず、かぶれにくいなどの特徴を持つ。
【請求項２】
陰茎に巻きつけ尿道側でテープ同士を張り合わせて包皮を固定し包茎を矯正する請求項  １記載の包茎矯正テープ。
【請求項３】
一度の使用で破棄する使い捨てであるため、常に清潔に使用できることを特徴とする請  求項１または請求項２記載の包茎矯正テープ。
【請求項４】
テープで作られているため、装着、取り外しが容易で、使用者により各調節が自由にで  きる請求項１または請求項２、請求項３記載の包茎矯正テープ。
【考案の詳細な説明】
【技術分野】
【０００１】  この発明は、包茎の矯正を目的として適宜な大きさ、形に整えられた自着式伸縮テープ（図面参照）を、陰茎に巻きつけることで、余分な包皮をこのテープで固定させ亀頭を常に露呈させることのできる包茎矯正テープに関するものである。
【背景技術】
【０００２】  従来、包茎の矯正には、樹脂、金属などを材料とし、さまざまな形で多くの矯正器具が考案されてきたが、あくまで器具としての発案であった。
【発明が解決しようとする課題】
【０００３】  これらには次のような欠点があった。
これらの器具は、使用するたびに清潔を保つために洗浄し、乾燥させなければならない。又、装着の際のわずらわしさに加え、使用中に脱落、ずれるなど不快感を伴うことがあった。また、陰茎に繰り返し装着するこれらの器具は、イメージとして暗い印象をもたれることが多かった。
本発明は、以上のような欠点をなくすためになされたものである。
【課題を解決するための手段】
【０００４】  包茎の矯正をするために、適宜な大きさ、形体に整えられた自着式伸縮テープ（図面参照）を使用する。余分な包皮を根元に寄せ亀頭部を露呈させた陰茎の亀頭部から少し根元寄りにこのテープを巻きつけ尿道側でテープ同士を貼り付けることにより、包皮を固定し亀頭部が常に露呈できるよう工夫された自着式伸縮テープである。
【発明の効果】
【０００５】  包茎矯正具が自着式伸縮テープでできているため、装着、取り外しが極めて容易である。素材が伸縮テープのため一度きりの使用で棄てるものである。つまり「使い捨て」のため洗浄などのわずらわしさがなく、常に清潔に使用できる。伸縮性に富んだ自着式伸縮テープを陰茎に巻きつけて矯正するため、装着者の好みに合わせた矯正が自在に調節でき、装着中の違和感は極めて少なく、使用中脱落したりずれたりすることがない。また、樹脂や金属で作られた矯正具と違い厚みの薄いテープを巻きつけて矯正するため、外見上装着が目立たずスマートな仕上がりである。
【考案を実施するための最良の形態】
【０００６】  以下、本発明を実施するための最良の形態について説明する。
自着式伸縮テープの大きさは、伸びる方の丈を７５ｍｍとし、幅２５ｍｍとする。四隅は角を落として丸みをつける。伸びる方の片辺を端から幅約２ｍｍ弱と、丈の中心部に幅約１２ｍｍ程それぞれテープを２重にして補強する。同じくもう一辺側の中心部は、陰茎の亀頭冠の形態に馴染むよう３５ｍｍ×４ｍｍ程度浅いＵ字形に切り落とす。以上の寸法をレギュラーなサイズとし、たて、よこそれぞれ３〜８ｍｍの増減をしてＳＭＬサイズまたはワイドタイプなどのサイズ展開をして使用者の好みに合わせるものである。
以下、装着方法について説明する。
平常時の陰茎に装着する。包皮を陰茎の根元に寄せ亀頭を露呈する。亀頭冠より１０〜１５ｍｍ下にテープをセットし、そのままテープを巻き付け裏側でテープ同士をくっつける。この時に好みにより少し締め付けるようにすることも出来る。巻き付けたテープを亀頭冠の方へ寄せてから、根元に寄せておいた包皮を巻きつけたテープの上に被せる。わざわざ被せなくても自然に包皮が被さる。外見上装着も目立たずスマートに仕上がりである。このように非常に簡単な装着方法で包茎の矯正が出来るものである。
【図面の簡単な説明】
【０００７】
【図１】  本発明の寸法図面である。
【図２】  本発明の装着方法の図である
【図１】
0003120640.tif 000003
【図２】
0003120640.tif 000004
【手続補正書】
【提出日】平成18年1月17日(2006.1.17)
【手続補正１】
【補正対象書類名】実用新案登録請求の範囲
【補正対象項目名】全文
【補正方法】変更
【補正の内容】
【実用新案登録請求の範囲】
【請求項１】
大きさ７５ｍｍ×２５ｍｍの長方形にとり、四隅を落とし、長辺の一辺の中ほどを３５ｍｍ×４ｍｍの浅いＵ字形に切り取った形に整えられた、肌につく粘着面がなく、皮膚や毛にはつかず、テープのみがしっかりくっつき、伸縮性、通気性を有しているなどの特徴を持つ自着式伸縮テープを素材とした包茎矯正テープ。
【請求項２】
陰茎に巻きつけ尿道側でテープ同士を貼り合わせて包皮を固定し包茎を矯正する請求項１記載の包茎矯正テープ。
【請求項３】
一度の使用で破棄する使い捨てであるため、常に清潔に使用できることを特徴とする請求項１または請求項２記載の包茎矯正テープ。
【請求項４】
テープで作られているため、装着、取り外しが容易で、使用者により各調節が自由にできる請求項１または請求項２、請求項３記載の包茎矯正テープ。
(57)【要約】      （修正有）【課題】１  尿が遠くなる紙パンツ尿が近くなる人が年々増え、医療機関を訪れても解決方法もなく毎日の生活に困難を来す人が多い。これを本考案の紙パンツ使用により問題を解決する。２  様々なものが災害時非常グッズとして多々社会を賑わしているが一番基本となる肌着には未だ着目されていない。これを通気性・肌ざわりのよさ・殺菌・安価・消臭効果のある素材を使って解決する。【解決手段】１  天然コットン・綿状パルプを排尿の位置とその前後又大腿部をすっぽり包み更に冬場は赤外線や遠赤外線を入れ保温力を増し、失禁をなくし尿意を正常にする。２  肌にやさしいふんわり感、通気性、殺菌、吸収力、カブレを防ぐ肌着として天然コットンを素材にする。【選択図】図１
0003120634.tif 000002
【実用新案登録請求の範囲】
【請求項１】
尿が遠くなる紙パンツ
【請求項２】
災害時非常用肌着
【考案の詳細な説明】
【考案が解決するための手段】
１排尿口の前後及び大腿部、腰の部分まで綿状パルプですっぽり包み保温効果を出し又排尿の部分前後は綿パルプ、天然コットンでふんわり肌ざわりを良くし、保温を高め、冬場は赤外線・遠赤外線を入れ、より効果を増大し問題を解決する。
【考案が解決するための手段】
２災害用グッズの１つとして軽く使い捨て出来、保温・通気性・吸収力・殺菌・安価・消臭効果・さらさら感をそなえる。
別紙新聞チラシ（コピー）の如く、最近トイレが近くなり老若男女を問わずこの様な悩みが多く聞かれ、医療機関を訪れても適当な解決方法もなく半ば諦めに似た気持ちで或る女性は３０分おきにトイレに行くとか失禁の為外出も儘成らず等、出願人も体験し或る日サンプル用として前に戴いた介護用紙パンツを使用した途端「あ、暖かい」という感触に驚きその日から尿が遠くなりピタリと止まり、失禁する事もなく驚きました。天然コットン綿状パルプの使用で保温力が長時間続き、腰部や排尿口の近くが温まり既存の紙パンツは股間部から前後の部分のみコットンを使用していますがこれを広範囲に使用し更に排尿の近くの部分は遠赤外線や赤外線入りにすれば効力も増しこの問題も解決すると考えます既存の紙パンツは保温・殺菌・安価・吸収力・消臭効果、さらさら感、副作用なし、使い捨ての便利さ等これが世にでればどれだけ多くの人が救われ又上下肌着としても災害用非常グッズとして重宝がられるのではないでしょうか。
【図１】
0003120634.tif 000003
【手続補正書】
【提出日】平成17年7月12日(2005.7.12)
【手続補正１】
【補正対象書類名】実用新案登録請求の範囲
【補正対象項目名】全文
【補正方法】変更
【補正の内容】
【実用新案登録請求の範囲】
【請求項１】
尿が遠くなる紙パンツ
天然パルプ・綿コットンを使い尿道口又は尿道付近を厚くし機能的に保温力を高め尿が遠くなる紙パンツ
【請求項２】
請求項１の上から更に重ね履きをし股のつけ根から大腿部をすっぽり包み機能力を増すため形状は膝上まで長めの寸法の紙パンツ
【請求項３】
請求項１記載の同じ素材を使い形状・構造・機能を有する災害時非常用としての紙パンツ
【手続補正２】
【補正対象書類名】明細書
【補正の内容】
0003120634.tif 000004
0003120634.tif 000005
0003120634.tif 000006
【手続補正書】
【提出日】平成17年10月24日(2005.10.24)
【手続補正１】
【補正対象書類名】実用新案登録請求の範囲
【補正対象項目名】全文
【補正方法】変更
【補正の内容】
【実用新案登録請求の範囲】
【請求項１】
尿が遠くなる紙パンツであって天然パルプ・綿コットンを使い尿道口又は尿道付近を厚くし機能的に保温力を高める紙パンツ
【請求項２】
重ね履きをし股のつけ根から大腿部をすっぽり包み機能力を増すため形状は膝上まで長めの寸法の請求項１記載の紙パンツ
【請求項３】
災害時非常用としての請求項１記載の紙パンツ
【手続補正２】
【補正対象書類名】明細書
【補正対象項目名】図面の簡単な説明
【補正方法】変更
【補正の内容】
【図面の簡単な説明】
【図１】尿が遠くなる紙パンツの平面図
【図２】尿が遠くなる紙パンツの立体図
【図３】重ね履きする膝上までの長めの紙パンツ平面図
【図４】重ね履きする膝上までの長めの紙パンツ立体図
【手続補正書】
【提出日】平成18年1月6日(2006.1.6)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【考案が解決するための手段】
排尿口の前後及び大腿部・腰の部分まで綿状パルプですっぽり包み、保温効果を出し又、尿道近くや股間部・尿道口前後は綿パルプ・天然コットンでふんわり肌ざわりを良くすると共に保温を高め冬場は赤外線や遠赤外線を入れ、より効果を増大し問題を解決する。図１  平面図図２  立面図又図１・図２の上から大腿部を保温する為、図３・図４を重ね履きする。又素材も地球に優しく保温・通気性・吸収力・殺菌・安価・消臭効果・さらさら感をそなえ、使い捨ての便利さ、サイズも自由に選べこの利点を利用して「尿が遠くなるパンツ」を災害時非常用肌着としても活用したい。
【図面の簡単な説明】
【図１】平面図
【図２】立面図
【図３】図１図２の上に履き大腿部を保温する。
【図４】図１図２の上に履き大腿部を保温する。
【手続補正２】
【補正対象書類名】手続補正書
【補正対象項目名】手続補正３
【補正方法】追加
【補正の内容】
【手続補正３】
【補正対象書類名】図面
【補正対象項目名】全図
【補正方法】変更
【補正の内容】
【図１】
0003120634.tif 000007
【図２】
0003120634.tif 000008
【図３】
0003120634.tif 000009
【図４】
0003120634.tif 000010
(57)【要約】      （修正有）【課題】手前に掛けた物を外さなくても奥に掛けた物を外せるクリップを提供する。【解決手段】クリップ（２）にフック状部分（１）を設ける。【選択図】図１
0003120636.tif 000002
【実用新案登録請求の範囲】
【請求項１】
クリップ（２）にフック状部分（１）を設ける。
以上の如く構成されたクリップ。
【考案の詳細な説明】
【考案の詳細な説明】
【技術分野】
【０００１】この考案は、クリップにフック状部分を設けた物に関するものである。
【背景技術】
【０００２】従来、ぞくに言う目玉クリップ等、穴のあいたクリップはあったが、壁にさした釘等に掛けると奥の方に掛けた物を全部はずさないととれなくて不便だった。
【考案が解決しようとする課題】
【０００３】本案はその欠点を除いて、手前に掛けた物を外さなくても奥に掛けた物を外せるクリップを開発しようとする物である。
【課題を解決するための手段】
【０００４】いまその解決手段を図面に追いながら説明すれば、クリップ（２）にフック状部分（１）を設ける。以上の如く構成されたペーパーファイリング用品である。
【考案を実施するための最良の形態】
【０００５】本考案は、以上のような構造であるから、これを使用する時はペーパーファイリング用品等（３）をクリップ（２）ではさみ、フック状部分（１）で、さした釘等に掛けるとよい。【０００６】なお、本考案の実施に当たって次の如きことができる。
（イ）クリップ（２）を粘着剤にする。
（ロ）クリップ（２）を磁石にする。
【考案の効果】
【０００７】したがって、手前に掛けた物をはずさなくても、奥の方に掛けた物をはずせるフック状部分の付いたクリップである。
【図面の簡単な説明】
【図１】本考案の斜視図
【図３】本考案にペーパーファイリング用品等をはさんで壁に掛けた使用状態を示す斜視図
【符号の説明】
１はフック状の部分
２はクリップ
３はペーパーファイリング用品
【図１】
0003120636.tif 000003
【図２】
0003120636.tif 000004
【図３】
0003120636.tif 000005
【図４】
0003120636.tif 000006
【手続補正書】
【提出日】平成17年9月15日(2005.9.15)
【手続補正１】
【補正対象書類名】明細書
【補正対象項目名】全文
【補正方法】変更
【補正の内容】
【考案の詳細な説明】
【技術分野】
【０００１】この考案は、クリップにフック状部分を設けた物に関するものである。
【背景技術】
【０００２】従来、ぞくに言う目玉クリップ等、穴のあいたクリップはあったが、壁にさした釘等に掛けると奥の方に掛けた物を全部はずさないととれなくて不便だった。
【考案が解決しようとする課題】
【０００３】本案はその欠点を除いて、手前に掛けた物を外さなくても奥に掛けた物を外せるクリップを開発しようとする物である。
【課題を解決するための手段】
【０００４】いまその解決手段を図面に追いながら説明すれば、クリップ（２）にフック状部分（１）を設ける。以上の如く構成されたペーパーファイリング用品である。
【考案を実施するための最良の形態】
【０００５】  本考案は、以上のような構造であるから、これを使用する時はペーパーファイリング用品等（３）をクリップ（２）ではさみ、フック状部分（１）で、さした釘等に掛けるとよい。【０００６】なお、本考案の実施に当たって次の如きことができる。    （イ）クリップ（２）を粘着剤にする。    （ロ）クリップ（２）を磁石にする。
【考案の効果】
【０００７】したがって、手前に掛けた物をはずさなくても、奥の方に掛けた物をはずせるフック状部分の付いたクリップである。
【図面の簡単な説明】
【図１】本考案の斜視図
【図２】本考案の斜視図
【図３】本考案にペーパーファイリング用品等をはさんで壁に掛けた使用状態を示す斜視図
【図４】本考案の斜視図
【記号の説明】
１はフック状の部分２はクリップ３はペーパーファイリング用品